(57)【特許請求の範囲】
【請求項１】
中密度繊維板（ＭＤＦ）を基材とし下方に切欠部を有する付け框１や、中密度繊維板（ＭＤＦ）を基材とし下方に切欠部を有する上がり框３などの框材が、接合手段を介して下地材２，４に当接され、前記框材１，３と前記下地材２，４との間に、蹴込み板として積層材料としてメラミン樹脂含浸紙からなる化粧層と、プリプレグからなるコア層を含み熱圧一体化された不燃性メラミン化粧板が介在し、前記不燃性メラミン化粧板は前記框材１，３の切欠部１ａ、３ａと接合されていないことを特徴とする框材の取り付け構造。
【発明の詳細な説明】
【技術分野】
【０００１】
本発明は框材の取り付け構造に関する。
【背景技術】
【０００２】
従来、玄関の土間にタイルを施工し、蹴込み板を使用して上がり框や、付け框を取り付ける方法が一般的に行われている。
取り付け構造については、例えば、図８に示すように玄関の上がり口部分に取り付ける上がり框は根太或いは既存框に固定され、蹴込み板は上がり框の見付け面の下方に取り付けられ、蹴込み板にはタイルが使用され、併設される場合が多い。付け框についても図示はしないがタイルが使用される場合が多い。
【先行技術文献】
【特許文献】
【０００３】
【特許文献１】特開平１０−２３８０９４号公報
【特許文献２】特開２００３−３１４０４６号公報
【発明の概要】
【発明が解決しようとする課題】
【０００４】
しかしながら、蹴込み板としてタイルを貼る、いわゆる団子貼り工法は、不陸の調整や、表面の平滑性などを考慮し、しかも土間のタイルとの目地を連続させるといった位置決めして施工しなければならず手間と熟練度を要していた。
また、タイル製の蹴込み板を土台に完全に固定するため養生時間を要し、施工に時間、日数がかかっていた。
【課題を解決するための手段】
【０００５】
本発明はかかる事状に鑑み検討されたもので、中密度繊維板（ＭＤＦ）を基材とし下方に切欠部を有する付け框１や、中密度繊維板（ＭＤＦ）を基材とし下方に切欠部を有する上がり框３などの框材が、接合手段を介して下地材２，４に当接され、前記框材１，３と前記下地材２，４との間に、蹴込み板として積層材料としてメラミン樹脂含浸紙からなる化粧層と、プリプレグからなるコア層を含み熱圧一体化された不燃性メラミン化粧板が介在し、前記不燃性メラミン化粧板は前記框材１，３の切欠部１ａ、３ａと接合されていないことを特徴とする框材の取り付け構造である。
【発明の効果】
【０００６】
蹴込み板として１枚の板状部材を下地材に接合し、框材で挟むだけで良いので、不陸の調整や位置決めの手間がかからず、養生時間も短縮できる。また、従来のタイルを用いて団子貼りして併設する場合は湿式施工で、専門業者による施工が必要で且つ熟練度を要していたが、本発明では乾式施工に近く、従来のタイル貼り工法に比べて専門性が低く比較的簡単に施工できる。
【図面の簡単な説明】
【０００７】
【図１】本発明で用いる付け框の断面図。
【図２】付け框の際に用いる下地材の断面図。
【図３】本発明の付け框の取り付け構造を示す分解断面図。
【図４】本発明の付け框の取り付け構造を示す断面図。
【図５】本発明で用いる上がり框の断面図。
【図６】本発明の上がり框の取り付け構造を示す分解断面図。
【図７】本発明の上がり框の取り付け構造を示す断面図。
【図８】従来の上がり框の取り付け構造を示す断面図。
【発明を実施するための最良の形態】
【０００８】
以下、本発明について図面に基づいて説明する。図１は付け框１の断面図である。付け框１は上がり框と同じ高さの土間の仕上げ材と壁の仕上げ材の見切り材の役目を担い、芯材１ｂには厚み１８ｍｍの中密度繊維板（ＭＤＦ）が用いられ、表面は厚み０．８ｍｍのメラミン樹脂化粧板１ｃで被覆されている。芯材にはＭＤＦの他、合板、ＬＶＬ、ケイ酸カルシウム板などを用いることができ、特に限定はされない。
【０００９】
下方に深さ（Ｄ１）が１１ｍｍ、長さ（Ｌ１）が１９ｍｍの切欠部１ａが形成されて逆Ｌ字状になっている。上方の角は曲面加工され、手足がぶつかっても怪我のないようになっている。曲面１ｄの曲率半径（Ｒ）は２〜５ｍｍが好ましく、曲面の内側はホットメルト接着剤１ｅが充填されている。
【００１０】
図２は下地材２の断面図であり、厚み１８ｍｍの中密度繊維板（ＭＤＦ）を用い、深さ（Ｄ２）が６ｍｍ、長さ（Ｌ２）が８８ｍｍの切欠部２ａが形成されてＬ字状になっている。付け框１の深さＤ１と下地材の深さ（Ｄ２）はＤ１＞Ｄ２である。
【００１１】
図３は付け框１の取り付け構造を示す分解断面図を示し、付け框１が下地材２に両面テープ６で仮止めされ、接着剤７との併用により固定される。付け框１と下地材２とは切欠部１ａと切欠部２ａで係合した際に空隙８ができるようになっており、この空隙８には蹴込み板として１枚の平板状部材、具体的にはプラスチック積層板９が介在されている。
【００１２】
接着剤７にはシリコーン系接着剤を用いている。シリコーン系接着剤は弾性に富み、プラスチック積層板９の収縮に追従し、付け框１に衝撃が加わっても力を吸収することから好ましい。平板状部材はプラスチック積層板９の他、木板、金属板、塩ビ板、アクリル板、ポリカーボネート等のプラスチック板も可能であるが特にプラスチック製の板は弾性と剛性を兼ね備えていることから好ましい。
【００１３】
プラスチック積層板９は厚みが２〜５ｍｍ程度で耐衝撃性に優れる熱硬化性樹脂化粧板、特にメラミン樹脂化粧板が好適に採用され、本発明では厚み３ｍｍの不燃性メラミン樹脂化粧板が用いられている。プラスチック積層板９の厚みをｔとした時（Ｄ１−Ｄ２）＞ｔである。
【００１４】
プラスチック積層板９の上方は両面テープ６により下地材２に固定されているが、付け框１には両面テープ、接着剤による接合はされておらずフリーな状態である。フリーな状態にすることにより、手足、つま先が当たった時、特に大きな力が加わることがなければ撓み、緩衝効果により破損しづらくなる。
【００１５】
プラスチック積層板９の下方は基礎３０と接着剤７を団子状の塊にして固定されている。接着剤７にはシリコーン系接着剤を用いている。
【００１６】
尚、不燃性メラミン樹脂化粧板とは、積層材料としてメラミン樹脂含浸紙からなる化粧層と、プリプレグからなるコア層を含んで熱圧一体化され、ＩＳＯ５６６０準拠したコーンカロリーメーターによる２０分試験の発熱性試験・評価方法において総発熱量が８ＭＪ／ｍ２以下であり、最高発熱速度が１０秒以上継続して２００ｋＷ／ｍ２を超えず、試験後の試験体において裏面まで貫通する割れ、ひび等がない化粧板をいう。
【００１７】
図４は付け框１の取り付け構造を示す断面図である。
【００１８】
図５は上がり框３の断面図であり、形状は逆Ｌ字状で見付け面の下方には深さ（Ｄ３）が５ｍｍ、長さ（Ｌ３）が１９ｍｍの切欠部３ａが形成されている。上がり框３は付け框１と同様に、芯材３ｂには厚み１８ｍｍの中密度繊維板（ＭＤＦ）が用いられ、表面は厚み０．６ｍｍのメラミン樹脂化粧板３ｃで被覆されている。芯材にはＭＤＦの他、合板、ＬＶＬ、ケイ酸カルシウム板などを用いることができ、特に限定はされない。
【００１９】
上方の角は曲面加工され、土間から床に上がる際に足がぶつかっても怪我にないようになっている。曲面３ｄの曲率半径（Ｒ）は２〜５ｍｍが好ましく、曲面の内側はホットメルト接着剤３ｅが充填されている。
【００２０】
図６は上がり框３の取り付け構造を示す分解断面図を示し、上がり框３が両面テープ６で仮止めされ、接着剤７により下地材４に固定されている。下地材４にはケイ酸カルシウム板が用いられている。上がり框３が下地材４に貼着された際には切欠部３ａにより空隙８ができるようになっており、この空隙８には蹴込み板の板状部材としてプラスチック積層板９が介在されている。プラスチック積層板９の厚みをｔとした時、Ｄ３＞ｔである。接着剤７には付け框１と同様の理由からシリコーン系接着剤を用いている。
【００２１】
プラスチック積層板９の上方は両面テープ６により下地材４に固定されているが、上がり框３には両面テープ、接着剤による接合はされておらずフリーな状状態である。理由は前述と同様、手足、つま先が当たった時、特に大きな力が加わることがなければ撓み、緩衝効果により破損しづらいからである。
【００２２】
プラスチック積層板９の下方は基礎３０と接着剤７を団子状の塊にして固定されている。接着剤７にはシリコーン系接着剤を用いている。
【実施例１】
【００２３】
付け框１の取り付け方法について説明する。土台２０に下地材２としてのＭＤＦを取り付け、切欠部２ａに、両面テープ６を貼着し、接着剤７としてシリコーン系接着剤を塗布した。次いで、下地材２の下端に両面テープ６を貼着し、真下の基礎３０に接着剤７としてシリコーン系接着剤を団子状に塗布し、上方の角が曲面加工されるとともにホットメルト接着剤１ｅが充填された付け框１の切欠部１ａが下地材２の切欠部２ａに係合するようにしてプラスチック積層板９を挟んで固定した。
【実施例２】
【００２４】
上がり框１の取り付け方法について説明する。土台２０に下地材４としての厚み１２ｍｍのケイ酸カルシウム板を取り付け、表面に両面テープ６を貼着し、接着剤７としてシリコーン系接着剤を塗布した。次いで、下地材４の下端に両面テープ６を貼着し、真下の基礎３０に接着剤７としてシリコーン系接着剤を団子状に塗布してプラスチック積層板９を接着した。次いで、上方の角が曲面加工されるとともにホットメルト接着剤３ｅが充填されたた上がり框３の切欠部３ａと下地材とでプラスチック積層板９を挟んで固定した。
【実施例３】
【００２５】
実施例２において、ケイ酸カルシウム板に代えてプラスターボードを用いた以外は同様に実施した。
【符号の説明】
【００２６】
１    付け框
１ａ  切欠部
１ｂ  芯材
１ｃ  メラミン樹脂化粧板
１ｄ  曲面
１ｅ  ホットメルト接着剤
２    下地材
２ａ  切欠部
３    上がり框
３ａ  切欠部
３ｂ  芯材
３ｃ  メラミン樹脂化粧板
３ｄ  曲面
３ｅ  ホットメルト接着剤
４    下地材
６    両面テープ
７    接着剤
８    空隙
９    プラスチック積層板
２０    土台
２５    パッキン
３０    基礎
４０    目地材
５０    床タイル
６０    従来の上がり框
６１    タイル製の蹴込み板
６２    フロア材
【図１】
0006363634.tif 000002
【図２】
0006363634.tif 000003
【図３】
0006363634.tif 000004
【図４】
0006363634.tif 000005
【図５】
0006363634.tif 000006
【図６】
0006363634.tif 000007
【図７】
0006363634.tif 000008
【図８】
0006363634.tif 000009